(57)【要約】【課題】ホウ素を含有する廃水から簡単かつ安全な方法で、効率よくホウ素を濾過分離する処理方法を提供する。【解決手段】少なくとも一つのアミノ基と一般式（１）で示される基とを有することを特徴とするホウ素吸着剤及び該ホウ素吸着剤を添加し、次いで該吸着剤に対する吸着剤または不溶化剤を加えた後、固形物を濾別するホウ素含有廃液の処理方法。【化１】2009233594.tif 000004［式（１）中、Ｇはアルドン酸またはウロン酸からカルボキシル基を除いた残基を示す。］【選択図】なし【特許請求の範囲】
【請求項１】
少なくとも一つのアミノ基と下記一般式（１）で示される基を有することを特徴とするホウ素吸着剤。
【化１】
2009233594.tif 000003
［式（１）中、Ｇはアルドン酸またはウロン酸からカルボキシル基を除いた残基を示す。］
【請求項２】
前記一般式（１）のＧがグルコン酸からカルボキシル基を除いた残基である請求項１記載のホウ素吸着剤。
【請求項３】
少なくとも一つのアミノ基と活性水素を有する置換基とを同一分子内に有する化合物の該活性水素の水素原子が、前記一般式（１）で示される基で置換されてなる請求項１記載のホウ素吸着剤。
【請求項４】
少なくとも一つのアミノ基と活性水素を有する置換基とを同一分子内に有する化合物が、エチレンジアミン、ジエチレントリアミン、トリエチレンテトラミン、テトラエチレンペンタミン、ペンタエチレンヘキサミン、高分子アミン化合物から選ばれる少なくとも１種のアミン化合物である請求項３記載のホウ素吸着剤。
【請求項５】
高分子アミン化合物が、ポリエチレンイミン、ポリビニルアミン、ポリアリルアミンから選ばれる請求項４記載のホウ素吸着剤。
【請求項６】
ホウ素を含む廃液に、請求項１〜５のいずれかに記載のホウ素吸着剤を加え、次いで、該ホウ素吸着剤に対する吸着剤または不溶化剤を加えることによりホウ素を除去することを特徴とするホウ素含有廃液の処理方法。
【発明の詳細な説明】
【技術分野】
【０００１】
本発明は、ホウ素含有廃水からホウ素を除くためのホウ素吸着剤、および処理方法に関するものである。
【背景技術】
【０００２】
産業廃水には様々な有害イオンが含まれていることがあり、環境汚染防止の観点から、これらは廃水処理によって十分に除去される必要がある。また、河川水や地下水中に含まれる様々な成分の中には人体に悪影響を及ぼすものがあり、河川水や地下水を利用するに当たっては十分に配慮しなければならない。この中でホウ素は、自然界に広く分布しているが、その有害性が徐々に明らかになり、平成１１年２月には新たに環境基準物質に指定されている。
【０００３】
従来、ホウ素を含む廃水からホウ素を除去するために、種々の方法が提案されてきた。代表的な方法としては、ポリスチレン系樹脂の母体を用いたＮ−メチルグルカミン型キレート樹脂があり、広く用いられている（例えば、特許文献１参照）。この樹脂のホウ素への吸着部位は、樹脂外辺部と内部細孔部に分布しており、内部細孔部へのホウ素イオンや再生剤の拡散速度が遅いため、吸着処理速度や再生速度が遅いという問題がある。再生に関しては、単に時間がかかるだけでなく、大量の再生廃水が生じるという事態にも至っている。樹脂外辺部の比率を高めるために粒径を小さくすると、通液圧力が大きくなってしまう。また、使用不能となった際の焼却処分が困難であるという問題もある。これに対して、セリウムの含水酸化物の表面を、多孔質の高分子樹脂層でコートした吸着剤も提案されている（例えば、特許文献２参照）。この吸着剤は効率良く吸着と再生が可能であるが、セリウム自体を大量入手することが難しいため製造コストを下げることが困難であり、汎用的に用いるに際しての障害となっている。
【０００４】
ホウ素を廃水から沈殿分離させる方法も種々提案されている。例えば、多価陰イオン性物質と希土類元素イオンを作用させる方法（例えば、特許文献３参照）がある。この方法はホウ素の除去率が高く沈殿の分離も容易であるものの、生成する沈殿物からのホウ素の分離除去が困難であり、後処理として埋め立てに頼らざるを得ないという問題がある。あるいは、フェノール性水酸基含有化合物を加えてホウ素錯体を形成させ、次いで不溶化剤を加えて沈殿分離させる方法（例えば、特許文献４参照）がある。この方法においては錯体形成のために大量のフェノール性水酸基化合物と不溶化剤を加える必要があり、実用性に欠ける。さらに別の方式として、ホウ素を過酸化物によって処理した後、多価金属化合物等と沈殿を形成させる方法（例えば、特許文献５、６参照）も提案されている。この方法においては沈殿物が過酸化物を含有しており、大量の廃水を処理するには不向きである。
【特許文献１】米国特許第２８１３８３８号明細書
【特許文献２】特開２００７−１６０２７１号公報
【特許文献３】特開２００４−９６３号公報
【特許文献４】特開２００７−２９９２５号公報
【特許文献５】特開２００７−２８３２１６号公報
【特許文献６】特開２００７−２８３２１７号公報
【発明の開示】
【発明が解決しようとする課題】
【０００５】
本発明は上記の様な事情に着目してなされたものであって、その課題とするところは、ホウ素を含有する廃水から簡単かつ安全な方法で、効率よくホウ素を濾過分離することが可能となるホウ素吸着剤および処理方法を提供することにある。また、本発明の別の課題は、濾過分離物が焼却により減容可能となるホウ素吸着剤および処理方法を提供することにある。
【課題を解決するための手段】
【０００６】
本発明者は上記課題を鋭意研究し、少なくとも一つのアミノ基と一般式（１）で示される基を有することを特徴とするホウ素吸着剤を見出して本発明に到達した。式（１）中、Ｇはアルドン酸またはウロン酸からカルボキシル基を除いた残基を示す。また、このホウ素吸着剤をホウ素を含む廃水に加え、次いで、このホウ素吸着剤に対する吸着剤または不溶化剤を加えたのち、固形分を濾過分離することにより、ホウ素を除去することが可能であることを見出して本発明に到達した。
【０００７】
【化１】
2009233594.tif 000002
【発明の効果】
【０００８】
上記の記述から明らかなように、本発明のホウ素吸着剤を用いたホウ素含有廃液の処理方法は簡単かつ安全であり、しかも高い除去率でホウ素を除去することができる。濾過分離物は多量の有機材料を含むので、焼却によりその容積を減らすことが可能である。
【発明を実施するための最良の形態】
【０００９】
本発明のホウ素吸着剤は、少なくとも一つのアミノ基と一般式（１）で示される基を有することを特徴とする。そして、少なくとも一つのアミノ基と活性水素を有する置換基とを同一分子内に有する化合物に対して、その活性水素を有する置換基の水素原子を、一般式（１）で示される基によって置換することによって合成される。
【００１０】
活性水素を有する置換基として、具体的には、水酸基やオキシム基等の酸素原子上に活性水素を有する置換基、チオール基等の硫黄原子上に活性水素を有する置換基、一級または二級アミノ基、無置換またはＮ−モノ置換アミド基等の窒素原子上に活性水素を有する置換基を挙げることができる。
【００１１】
少なくとも一つのアミノ基と活性水素を有する置換基とを同一分子内に有する化合物としては、２−（ジメチルアミノ）エタノール、Ｎ−メチルジエタノールアミン、トリエタノールアミン等のヒドロキシアミノ化合物、１−メチル−４−ピペリドンオキシム等のアミノオキシム化合物、２−アミノエタンチオール、２−ジメチルアミノエタンチオール等のメルカプトアミノ化合物、エチレンジアミン、ジエチレントリアミン、トリエチレンテトラミン、テトラエチレンペンタミン、ペンタエチレンヘキサミン等の脂肪族ポリアミン、イミダゾリジン、Ｎ−メチルイミダゾリジン、アミノピロリジン、ピペラジン等の脂環式ポリアミン、ｐ−フェニレンジアミン、ｍ−フェニレンジアミン、１，５−ジアミノナフタレン等の芳香族ポリアミン、２，５−ジアミノピリジン等の複素環式ポリアミン、β−アラニンアミド、ニペコタミド等のアミノアミド等を挙げることができる。これらの化合物は、単独または併用して用いても良い。
【００１２】
ここで、活性水素を有する置換基として、酸素原子上に活性水素を有する置換基は反応性が比較的低く、本発明のホウ素吸着剤を高い収率で合成することが難しいことがある。一方で、硫黄原子上に活性水素を有する置換基は反応性が高く、本発明の吸着剤を収率良く得ることができるものの、得られた吸着剤が加水分解を受けやすく、安定性に欠ける場合がある。窒素原子上に活性水素を有する置換基の中で、無置換またはＮ−モノ置換アミド基の反応性が低いため、本発明のホウ素吸着剤を高い収率で合成することが難しい場合がある。一級または二級アミノ基は高い反応性を有するために、本発明の吸着剤を収率良く得ることができ、同時に得られるホウ素吸着剤自身も安定である。このような点から、活性水素を有する置換基としては、一級または二級アミノ基が好ましい。
【００１３】
少なくとも一つのアミノ基と、活性水素を有する置換基として一級または二級アミノ基とを同一分子内に有する化合物の中で、特に好ましいものとしては、エチレンジアミン、ジエチレントリアミン、トリエチレンテトラミン、テトラエチレンペンタミン、ペンタエチレンヘキサミンを挙げることができる。これらは、飽和炭化水素鎖に結合した反応性に富む一級または二級アミノ基を複数有しており、本発明のホウ素吸着剤を特に収率良く得ることができる点で好ましい。
【００１４】
少なくとも一つのアミノ基と、活性水素を有する置換基として一級または二級アミノ基とを同一分子内に有する化合物の中で、特に好ましいものの別の具体例としては、ポリエチレンイミン及びその誘導体、ポリプロピレンアミン、ポリビニルアミン及びその誘導体、ポリアリルアミン及びその誘導体、ポリエーテルアミン、ポリ−Ｌ−リジン、ポリ−Ｌ−オルニチン等の高分子アミン化合物を挙げることができる。これらの中では、高分子アミンの単位重量あたりに含まれるアミノ基の数が多く、多数の反応点を確保できるため、本発明のホウ素吸着剤を特に収率良く得ることができるポリエチレンイミン、ポリビニルアミン、ポリアリルアミンが特に好ましい。高分子アミン化合物の重量平均分子量は、特に制限されるものではないが、反応性の点から、５００以上１０，０００，０００以下が好ましく、より好ましくは５００以上５，０００，０００以下である。
【００１５】
活性水素を有する置換基の水素原子を、一般式（１）で示される基によって置換するには、アシル化反応として公知の方法を用いることができ、特に制限はない。一般式（１）のＧは、アルドン酸またはウロン酸からカルボキシル基を除いた残基である。アルドン酸は、アルドースの主鎖末端のホルミル基がカルボキシル基に酸化された化合物であり、具体的には、グルコン酸、ガラクトン酸、マンノン酸等を挙げることができる。ウロン酸は、単糖の主鎖末端の第一級水酸基がカルボキシル基に酸化された化合物であり、具体的には、グルクロン酸、ガラクツロン酸、マンヌロン酸等を挙げることができる。これらの中ではホウ素に対して高い錯体形成能を有し、容易に入手可能なグルコン酸が好ましい。
【００１６】
ホウ素を含む廃水に対して、本発明の吸着剤を添加する際の添加量は、ホウ素に対して一般式（１）で示される基が等モル〜１０倍モル当量の範囲であることが好ましく、２倍モル〜５倍モル当量の範囲がさらに好ましい。添加量がこの範囲を下回るとホウ素の除去が不十分となることがあり、上回ると濾過分離操作の負担が増えることがある。
【００１７】
本発明のホウ素含有廃液の処理方法においては、ホウ素を含む廃液に、少なくとも一つのアミノ基と一般式（１）で示される基を有する本発明のホウ素吸着剤を加え、次いで該ホウ素吸着剤に対する不溶化剤または吸着剤を加えることによりホウ素を除去する。
【００１８】
ここで用いられる不溶化剤は、該ホウ素吸着剤と相互作用して、これらを水不溶性に変換する化合物である。具体的には、アミノ基の架橋剤として知られる化合物、これらアミノ基と塩を形成して水不溶化するポリマー、多価金属塩を挙げることができる。
【００１９】
アミノ基の架橋剤の具体例としては、エピクロロヒドリン、エチレングリコールジグリシジルエーテル、ポリエチレングリコールジグリシジルエーテル、トリスエポキシプロピルイソシアヌレート等のエポキシ基を反応官能基とする架橋剤、トルイレンジイソシアネート、トリフェニルメタントリイソシアネート、ヘキサメチレンジイソシアネート等のイソシアネート基を反応官能基とする架橋剤、ホルムアルデヒド、グリオキザール、グルタルアルデヒド、テレフタルアルデヒド、ジヒドロキシテレフタルアルデヒド、ジアルデヒド澱粉等のアルデヒド基を反応官能基とする架橋剤、コハク酸ジメチルエステル、フタル酸ジメチルエステル等のエステル基を反応官能基とする架橋剤、フタル酸クロリド、イソフタル酸クロリド、テレフタル酸クロリド等の酸塩化物を反応官能基とする架橋剤を挙げることができる。これら架橋剤の添加量は、その官能基の総量が、アミノ基の総量に対し当量比で０．０１以上２未満、好ましくは０．１以上２未満である。
【００２０】
アミノ基と塩を形成して水不溶化するポリマーとしては、ポリアクリル酸、ポリメタクリル酸、ポリスチレンスルホン酸、ナフタレンスルホン酸ホルマリン縮合物、リグニンスルホン酸等の、カルボキシル基やスルホン酸基を有するポリマーを挙げることができる。これらポリマー類の添加量としては、該ホウ素吸着剤の質量に対する比率として０．０１以上２未満、好ましくは０．１以上２未満である。
【００２１】
多価金属塩としては、ランタン、セリウム、銅、鉄、アルミニウム、チタン、カルシウム、マグネシウム等の硫酸塩や塩酸塩等を挙げることができる。これら多価金属塩の添加量としては、アミノ基の総量に対し当量比で０．０１以上２未満、好ましくは０．１以上２未満である。
【００２２】
これらの中で、エポキシ基、イソシアネート基、またはアルデヒド基を反応官能基とする架橋剤、あるいはカルボキシル基を有するポリマーが好ましい。
【００２３】
本発明で用いられるホウ素吸着剤に対する吸着剤としては具体的には、活性炭、活性白土、シリカ、アルミナ、ゼオライト等を挙げることができる。これらは単独で使用しても良いし、複数の種類を併用しても良い。特に好ましい吸着剤は活性炭である。活性炭はその原料、賦活方法、製品形態等で種々のものがあるが、特に区別無く使用することができる。吸着剤の使用量は、用いたホウ素吸着剤と等質量〜１０倍質量が好ましい。添加量がこの範囲を下回るとホウ素の除去が不十分となることがあり、上回ると濾過分離操作の負担が増えることがある。
【００２４】
吸着剤の使用方法は、ホウ素吸着剤を添加したホウ素含有廃水に、固体状のホウ素吸着剤に対する吸着剤を加え、攪拌、濾過しても良いし、ホウ素吸着剤に対する吸着剤の層を設けてそこに廃水を通過させる方式でも良い。廃水処理時には、ホウ素と本発明の吸着剤の相互作用を確保するために、廃水のｐＨを５〜１２、好ましくは６〜１１の範囲に調整するのが望ましい。
【実施例】
【００２５】
以下に本発明を実施例により詳細に説明するが、本発明は実施例に限定されるものでない。なお、実施例中の部数や百分率は、とくにことわりのない限り質量基準である。
【００２６】
合成例１
グルコノ−１，５−ラクトン１．４２ｇをメタノール５０ｍｌに溶かし、室温にて１５％ポリアリルアミン水溶液（商品名：ＰＡＡ−１５、日東紡製、質量平均分子量＝１５，０００）５．８８ｇを加えた。１時間環流後、減圧下でメタノールおよび水を除去し、本発明のホウ素吸着剤２．３０ｇを得た。ＩＲ：１６３８ｃｍ-1、１５３６ｃｍ-1。
【００２７】
実施例１
グルコノ−１，５−ラクトン０．１６ｇ、メタノール５ｍｌ、ペンタエチレンヘキサミン０．２１ｇを用いて、合成例１と同様の操作でホウ素吸着剤を合成した。このものを濃度９．１ｍｍｏｌ／リットルのホウ酸水溶液５０ｍｌに加え、１５分間攪拌後、活性炭（商品名：白鷺Ａ、日本エンバイロケミカルズ製）１ｇを加えた。さらに１時間後、固形物を濾別した。濾液中に残存するホウ素を誘導結合プラズマ（ＩＣＰ）発光分光分析法により求めたところ、ホウ素濃度に換算して、処理前の濃度が１００ｐｐｍであったのに対して、処理後の濾液では１２ｐｐｍに低下していることがわかった。
【００２８】
実施例２
ペンタエチレンヘキサミン０．２１ｇをテトラエチレンペンタミン０．１７ｇに替える以外は、実施例１と同様に操作したところ、処理後の濾液中のホウ素濃度が１１ｐｐｍに低下していることが分かった。
【００２９】
実施例３
ペンタエチレンヘキサミン０．２１ｇをトリエチレンテトラミン０．１３ｇに替える以外は、実施例１と同様に操作したところ、処理後の濾液中のホウ素濃度が１３ｐｐｍに低下していることが分かった。
【００３０】
実施例４
ペンタエチレンヘキサミン０．２１ｇをジエチレントリアミン０．０９ｇに替える以外は、実施例１と同様に操作したところ、処理後の濾液中のホウ素濃度が１４ｐｐｍに低下していることが分かった。
【００３１】
実施例５
ペンタエチレンヘキサミン０．２１ｇをエチレンジアミン０．０５ｇに替える以外は、実施例１と同様に操作したところ、処理後の濾液中のホウ素濃度が１６ｐｐｍに低下していることが分かった。
【００３２】
実施例６
グルクロノ−６，３−ラクトン０．１６ｇ、メタノール５ｍｌ、ジエチレントリアミン０．１０ｇを用いて、合成例１と同様の操作でホウ素吸着剤を合成した。このものを濃度９．１ｍｍｏｌ／リットルのホウ酸水溶液５０ｍｌに加え、以下、実施例１と同様に操作したところ、処理後の濾液中のホウ素濃度が１９ｐｐｍに低下していることが分かった。
【００３３】
実施例７
ジメチルアミノエタノール０．０８ｇとグルコノ−１，５−ラクトン０．１６ｇを無溶媒にて７０℃１時間加熱攪拌した。得られた吸着剤を用いて、実施例１と同様に操作したところ、処理後の濾液中のホウ素濃度が２８ｐｐｍに低下していることが分かった。
【００３４】
実施例８
ペンタエチレンヘキサミン０．２１ｇをジメチルアミノエタンチオール０．０９ｇに替える以外は、実施例１と同様に操作したところ、処理後の濾液中のホウ素濃度が２４ｐｐｍに低下していることが分かった。
【００３５】
実施例９
グルコノ−１，５−ラクトン０．１６ｇ、メタノール５ｍｌ、１５％ポリアリルアミン水溶液（商品名：ＰＡＡ−１５、日東紡製、質量平均分子量＝１５，０００）０．６９ｇを用いて、合成例１と同様にして吸着剤を合成した。このものを濃度９．１ｍｍｏｌ／リットルのホウ酸水溶液５０ｍｌに加え、以下、実施例１と同様に操作したところ、処理後の濾液中のホウ素濃度が８ｐｐｍに低下していることが分かった。
【００３６】
実施例１０
グルコノ−１，５−ラクトン０．１６ｇ、メタノール５ｍｌ、３０％ポリエチレンイミン水溶液（東京化成製、質量平均分子量＝７万）０．２６ｇを用いて、合成例１と同様の操作でホウ素吸着剤を合成した。このものを濃度９．１ｍｍｏｌ／リットルのホウ酸水溶液５０ｍｌに加え、以下、実施例１と同様に操作したところ、処理後の濾液中のホウ素濃度が１２ｐｐｍに低下していることが分かった。
【００３７】
実施例１１
グルコノ−１，５−ラクトン０．１６ｇ、メタノール５ｍｌ、１５％ポリビニルアミン水溶液（星光ＰＭＣ製）０．５２ｇを用いて、合成例１と同様の操作でホウ素吸着剤を合成した。このものを濃度９．１ｍｍｏｌ／リットルのホウ酸水溶液５０ｍｌに加え、以下、実施例１と同様に操作したところ、処理後の濾液中のホウ素濃度が１０ｐｐｍに低下していることが分かった。
【００３８】
実施例１２
グルコノ−１，５−ラクトン０．１６ｇ、メタノール５ｍｌ、１５％ポリアリルアミン水溶液（商品名：ＰＡＡ−１５、日東紡製、質量平均分子量＝１５，０００）０．６９ｇを用いて、合成例１と同様の操作でホウ素吸着剤を合成した。このものを濃度９．１ｍｍｏｌ／リットルのホウ酸水溶液５０ｍｌに加え１５分間攪拌後、活性炭（商品名：カルボラフィン、日本エンバイロケミカルズ製）１ｇを加えた。さらに１時間後、固形物を濾別した。濾液中に残存するホウ素を実施例１と同様にして求めたところ、７ｐｐｍに低下していることがわかった。
【００３９】
実施例１３
グルコノ−１，５−ラクトン０．１６ｇ、メタノール５ｍｌ、１５％ポリアリルアミン水溶液（商品名：ＰＡＡ−１５、日東紡製、質量平均分子量＝１５，０００）０．６９ｇを用いて、合成例１と同様の操作でホウ素吸着剤を合成した。このものを濃度９．１ｍｍｏｌ／リットルのホウ酸水溶液５０ｍｌに加え１５分間攪拌後、シリカゲル（商品名：ワコーゲルＣ１００、和光純薬工業製）１ｇを加えた。さらに１時間後、固形物を濾別した。濾液中に残存するホウ素を実施例１と同様にして求めたところ、１２ｐｐｍに低下していることがわかった。
【００４０】
実施例１４
グルコノ−１，５−ラクトン０．１６ｇ、メタノール５ｍｌ、１５％ポリアリルアミン水溶液（商品名：ＰＡＡ−１５、日東紡製、質量平均分子量＝１５，０００）０．６９ｇを用いて、合成例１と同様の操作でホウ素吸着剤を合成した。このものを濃度９．１ｍｍｏｌ／リットルのホウ酸水溶液５０ｍｌに加え１５分間攪拌後、エチレングリコールジグリシジルエーテル７８ｍｇを加えた。室温でさらに３時間攪拌後、固形物を濾別し、濾液中に残存するホウ素を実施例１と同様にして求めたところ、１５ｐｐｍに低下していることがわかった。
【００４１】
実施例１５
エチレングリコールジグリシジルエーテル７８ｍｇをトルイレンジイソシアネート０．１６ｇに変更した以外は、実施例１４と同様に操作したところ、処理後の濾液中のホウ素濃度が１３ｐｐｍに低下していることが分かった。
【００４２】
実施例１６
エチレングリコールジグリシジルエーテル７８ｍｇを５０％グルタルアルデヒド水溶液０．１０ｇに変更した以外は、実施例１４と同様に操作したところ、処理後の濾液中のホウ素濃度が９ｐｐｍに低下していることが分かった。
【００４３】
実施例１７
エチレングリコールジグリシジルエーテル７８ｍｇをポリアクリル酸（質量平均分子量＝２５万）０．６ｇに変更した以外は、実施例１４と同様に操作したところ、処理後の濾液中のホウ素濃度が７ｐｐｍに低下していることが分かった。
【００４４】
（比較例１）
活性炭（商品名：白鷺Ａ、日本エンバイロケミカルズ製）１ｇを０ｇに変更した以外は実施例１と同様に操作したところ、処理後の濾液中のホウ素濃度は９８ｐｐｍにとどまり、ほとんど除去されていないことが分かった。
【００４５】
（比較例２）
活性炭（商品名：白鷺Ａ、日本エンバイロケミカルズ製）１ｇを０ｇに変更した以外は実施例９と同様に操作したところ、処理後の濾液中のホウ素濃度は９３ｐｐｍにとどまり、ほとんど除去されていないことが分かった。
【００４６】
（比較例３）
濃度９．１ｍｍｏｌ／リットルのホウ酸水溶液５０ｍｌを１規定の水酸化カリウム水溶液でｐＨ９に調整し、タンニン（商品名：タンニン酸ＡＬ、富士化学工業製）０．４６ｇを水７０ｍｌに溶かした溶液を加えて１０分攪拌し、次いで塩化カルシウム３ｇを水７０ｍｌに溶かした溶液を加えてさらに１０分攪拌した。この溶液に１規定の水酸化カリウム水溶液を加えてｐＨ９にしたところ青白色の沈殿が大量に生成した。一部を濾過して濾液中に残存するホウ素濃度を、実施例１と同様にして測定したところ、処理前の濃度１００ｐｐｍに対して、処理後の濃度は４３ｐｐｍにとどまった。
【００４７】
実施例１〜１７と比較例１〜２の結果から本発明によれば、少なくとも一つのアミノ基と一般式（１）で示される基を有することを特徴とするホウ素吸着剤を添加し、次いで該吸着剤に対する吸着剤または不溶化剤を加えた後、固形物を濾別するという簡単かつ安全な方法により、ホウ素を含む廃水から効率よくホウ素を分離除去できることが確認された。また、実施例１〜１２と１４〜１７の濾過物はほとんどすべてが有機物であり、実施例１３の濾過物の一部も有機物であり、シリカゲルは焼却によって有害物には変化しないことから、焼却による減容が可能である。
【産業上の利用可能性】
【００４８】
本発明のホウ素吸着剤及び本発明のホウ素含有廃水の処理方法は、工場排水、ごみ焼却場洗煙排水、地熱発電排水等の産業廃水や、河川、地下水中に含まれるホウ素の除去に利用可能である。